(57)【要約】【課題】マウスの外観形状に於て高さの制約がある場合に、高さを抑えた設計を可能にする。【解決手段】本発明は、全体がケースに被包され、ケース下部（下ケース２）に移動検出手段（光学的移動検出手段３）を備え、ケース上部にクリックボタンを備えたマウス１に於て、ケース側部に水平方向前後に揺動してスイッチング動作を行い、且つ、水平方向左右に摺動してスイッチング動作を行うスクロールスイッチ９を設けたマウスを提供する。【選択図】　図１
2004062345.tif 000002
【特許請求の範囲】
【請求項１】
全体がケースに被包され、ケース下部に移動検出手段を備え、ケース上部にクリックボタンを備えたマウスに於て、ケース側部に水平方向前後に揺動してスイッチング動作を行い、且つ、水平方向左右に摺動してスイッチング動作を行うスクロールスイッチを設けたことを特徴とするマウス。
【請求項２】
上記スクロールスイッチは上記ケースの下ケース上に摺動自在に設けられたスライダーと、該スライダーによって操作されるスイッチと、該スライダー上に揺動自在に配設されるスクロールバーと、該スクロールバーによって操作されるスイッチとから成り、前記スライダーは該スライダーに開穿された長孔に前記下ケース上に立設された立設部が挿入されて摺動自在に配設され、且つ、該立設部に固着したビスの頭部によって該スライダーの抜け止めがなされており、更に、前記スクロールバーは該スクロールバーに開穿された挿入孔に前記スライダー上に立設された立設部が挿入されて揺動自在に配設され、且つ、該立設部に固着したビスの頭部によって該スクロールバーの抜け止めがなされていることを特徴とする請求項１記載のマウス。
【請求項３】
上記スクロールスイッチは上記ケースの下ケース上に摺動自在に設けられたスライダーと、該スライダーによって操作されるスイッチと、該スライダー上に揺動自在に配設されるスクロールバーと、該スクロールバーによって操作されるスイッチとから成り、前記スライダーは該スライダーに開穿された長孔に前記下ケース上に立設された立設部が挿入されて摺動自在に配設され、且つ、該立設部の上部に形成された拡縮自在のフックによって該スライダーの抜け止めがなされており、更に、前記スクロールバーは該スクロールバーに開穿された挿入孔に前記スライダー上に立設された立設部が挿入されて揺動自在に配設され、且つ、該立設部の上部に形成された拡縮自在のフックによって該スライダーの抜け止めがなされていることを特徴とする請求項１記載のマウス。
【請求項４】
上記スライダーは右端部が左下方に向かって所定寸法斜欠された斜欠面を有し、一方、該スライダーによって操作される上記スイッチは上面に上下方向に摺動するキートップを備え、前記スライダーの水平方向の押し動作によって、該キートップが前記斜欠面に押圧され所定寸法範囲内で上下動してスイッチング動作を行うように構成されて成ることを特徴とする請求項１，２又は３記載のマウス。
【発明の詳細な説明】
【０００１】
【発明の属する技術分野】
この発明は、マウスに関するものであり、特に、マウスの外観形状に於て高さの制約がある場合に、高さを抑えた設計を可能にしたマウスに関するものである。
【０００２】
【従来の技術及び発明が解決しようとする課題】
従来、座標入力装置として、例えば、平面上を移動させながら入力操作を行う、所謂マウスが広く利用されている。このようなマウスは、例えば、ケース内部に回転可能に支持されたボールの回転方向及び回転量を検出する機械的移動検出手段、又は、光学的にケースの水平移動を検出する光学的移動検出手段を備えている。
【０００３】
このように構成されたマウスはケースを水平移動させることにより、その移動に伴って、前記機械的移動検出手段又は光学的移動検出手段によって、そのＸＹ方向の移動量が検出され、接続されたコンピュータ等によってその検出信号が出力される。これにより、座標入力が行われると共に、前記機械的移動検出手段又は光学的移動検出手段と共に設けられた複数個の操作ボタンが適宜に操作されることにより、各種入力操作が行われるように構成されている。
【０００４】
即ち、複数個の前記操作ボタンは、例えば、左右のクリックボタン及びスクロールボタンであり、左右のクリックボタンはマウスケースの上面前方部にあり、上方から人差し指又は中指でクリックすることで操作するように構成されている。又、前記スクロールボタンは前記左右のクリックボタンの中央部に設けられ、且つ、上方にやや突出して設けられ、上方から人差し指で回転又は上下動させることによって操作するように構成されている。
【０００５】
然しながら、前記マウスに於て、マウスの外観形状に高さの制約がある場合に、前記スクロールボタンが上方に突出している形状が障害となる虞がある。
そこで、マウスの外観形状に於て高さの制約がある場合に、高さを抑えた設計を可能にするために解決すべき技術的課題が生じてくるのであり、本発明はこの課題を解決することを目的とする。
【０００６】
【課題を解決するための手段】
本発明は上記目的を達成するために提案されたものであり、全体がケースに被包され、ケース下部に移動検出手段を備え、ケース上部にクリックボタンを備えたマウスに於て、ケース側部に水平方向前後に揺動してスイッチング動作を行い、且つ、水平方向左右に摺動してスイッチング動作を行うスクロールスイッチを設けたマウス、
及び、上記スクロールスイッチは上記ケースの下ケース上に摺動自在に設けられたスライダーと、該スライダーによって操作されるスイッチと、該スライダー上に揺動自在に配設されるスクロールバーと、該スクロールバーによって操作されるスイッチとから成り、前記スライダーは該スライダーに開穿された長孔に前記下ケース上に立設された立設部が挿入されて摺動自在に配設され、且つ、該立設部に固着したビスの頭部によって該スライダーの抜け止めがなされており、更に、前記スクロールバーは該スクロールバーに開穿された挿入孔に前記スライダー上に立設された立設部が挿入されて揺動自在に配設され、且つ、該立設部に固着したビスの頭部によって該スクロールバーの抜け止めがなされているマウス、及び、上記スクロールスイッチは上記ケースの下ケース上に摺動自在に設けられたスライダーと、該スライダーによって操作されるスイッチと、該スライダー上に揺動自在に配設されるスクロールバーと、該スクロールバーによって操作されるスイッチとから成り、前記スライダーは該スライダーに開穿された長孔に前記下ケース上に立設された立設部が挿入されて摺動自在に配設され、且つ、該立設部の上部に形成された拡縮自在のフックによって該スライダーの抜け止めがなされており、更に、前記スクロールバーは該スクロールバーに開穿された挿入孔に前記スライダー上に立設された立設部が挿入されて揺動自在に配設され、且つ、該立設部の上部に形成された拡縮自在のフックによって該スライダーの抜け止めがなされているマウス、
並びに、上記スライダーは右端部が左下方に向かって所定寸法斜欠された斜欠面を有し、一方、該スライダーによって操作される上記スイッチは上面に上下方向に摺動するキートップを備え、前記スライダーの水平方向の押し動作によって、該キートップが前記斜欠面に押圧され、所定寸法範囲内で上下動してスイッチング動作を行うように構成されて成るマウスを提供するものである。
【０００７】
【発明の実施の形態】
以下、本発明の一実施の形態を図１乃至図４に従って詳述する。図１及び図２に於て、１は上ケースを取り除いたマウスを示し、該マウス１は上ケース（図示せず）と下ケース２とで構成されるケースによって被包され、該下ケース２上に該マウスの位置変化を検出する光学的移動検出手段３が設けられ、前記下ケース２上の左右前部には上ケース（図示せず）に設けられた左右のクリックボタン（図示せず）によって操作され上下動するキートップ４ａ，５ａが備えられたマイクロスイッチ４，５が配設されている。
【０００８】
そして、前記光学的移動検出手段３は発光するＬＥＤ６と、該ＬＥＤ６から発光された光を前記下ケース２に開穿された孔２ａを通して該下ケース２下方の所定位置に集光するレンズ７と、該レンズ７から発光された光が反射されて戻ってきた光を検知する光センサー８とから構成される。
【０００９】
而して、前記下ケース２上の側部、即ち、ケースの側部に水平方向前後に揺動してスイッチング動作を行い、且つ、水平方向左右に摺動してスイッチング動作を行うスクロールスイッチ９が配設される。即ち、該スクロールスイッチ９は前記下ケース２上に摺動自在に設けられたスライダー１０と、該スライダー１０によって操作されるマイクロスイッチ１１と、該スライダー１０上に揺動自在に配設されるスクロールバー１２と、該スクロールバー１２の前後に隣接されて配設され、該スクロールバー１２によって操作されるタクトスイッチ１３，１３とから成る。
【００１０】
そして、前記スライダー１０は該スライダー１０に開穿された長孔１４，１４，１４に前記下ケース２上に立設された立設部１５，１５，１５が挿入されて摺動自在に配設され、且つ、該立設部１５，１５，１５に固着したビス１６，１６，１６の頭部１６ａ，１６ａ，１６ａによって該スライダー１０の抜け止めがなされている。
【００１１】
更に、前記スクロールバー１２は該スクロールバー１２に開穿された挿入孔１７に前記スライダー１０上に立設された立設部１８が挿入されて該立設部１８を支点として揺動自在に配設され、且つ、該立設部１８に固着したビス１９の頭部１９ａによって前記スクロールバー１２の抜け止めがなされている。尚、図１及び図２に於て、２０はバネであり、該バネ２０は図１（ｂ）に於て前記スライダー１０を左方に付勢している。
【００１２】
従って、前記スクロールスイッチ９は前記スクロールバー１２のノブ１２ａを水平方向前後に操作すると、該スクロールバー１２が前記立設部１８を支点として揺動し、該スクロールバー１２の前後に配設された前記タクトスイッチ１３，１３を作動させる。そして、作動されたタクトスイッチ１３は所定のスクロール出力を行う。
【００１３】
又、前記スクロールバー１２のノブ１２ａを水平方向右方向に摺動させると前記マイクロスイッチ１１を作動させ、該マイクロスイッチ１１によってオン、又は、オフ信号が出力される。
【００１４】
斯くして、前記マウス１は前記ケースの側部にスイッチング動作を行うスクロールスイッチ９が配設されているので、該マウス１のケースの上面に突出するスイッチがなく、マウスの外観形状に於て高さの制約がある場合に、高さを抑えた設計が可能になる。
【００１５】
又、前記スライダー１０はビス１６，１６，１６によって抜け止めがなされているので、前記立設部１５，１５，１５から抜けることがなく、更に、前記スクロールバー１２はビス１９で抜け止めがなされているので前記立設部１８から抜けることがない。そして、前記ビス１６及び１９は安価であるためコストダウンが図れると共に、組み立て作業効率を高めることができる。
【００１６】
図３は前記下ケース２の立設部（図２に於て１５）と前記ビス（図２に於て１６）に代えて拡縮自在のフック２１ａが上部に形成された立設部２１が設けられたものであり、該立設部２１のフック２１ａが縮小して前記スライダー１０の長孔１４に挿入され、前記フック２１ａの拡大によって該スライダー１０の抜け止めがなされるように構成されている。更に、前記スライダー１０の立設部（図２に於て１８）と前記ビス（図２に於て１９）に代えて拡縮自在のフック２２ａが上部に形成された立設部２２が設けられており、該立設部２２のフック２２ａが縮小して前記スクロールバー１２の挿入孔１７に挿入され、前記フック２２ａの拡大によって該スクロールバー１２の抜け止めがなされるように構成されている。前記フック２１ａが形成された立設部２１及び前記フック２２ａが形成された立設部２２によって、組み立て効率は更に向上すると共に、部品点数及び組み立て工数も少なくすることができる。
【００１７】
図４は前記スライダー（図３に於て１０）に代えて該スライダーを変形したスライダー２３を設けたものであり、該スライダー２３は右端部が左下方に向かって所定寸法斜欠されてカム面となる斜欠面Ｃが形成され、一方、該スライダー２３によって操作されるマイクロスイッチ２４は該マイクロスイッチ２４の上面に上下方向に摺動するキートップ２４ａを備え、前記スライダー２３の水平方向右方向への押し動作によって、該キートップ２４ａが前記斜欠面Ｃに押圧され、所定寸法範囲内で下方に押されてスイッチング動作が行われるように構成されている。
【００１８】
従って、前記ノブ１２ａに過剰な押圧がかかった時、前記スクロールバー１２及び前記スライダー２３が右方に押され、前記斜欠面Ｃによって前記マイクロスイッチ２４のキートップ２４ａを下方に押すが、該キートップ２４ａは所定寸法下方に押されるとそれ以上下方に押されないため、該マイクロスイッチ２４に過剰な負荷がかからず、該マイクロスイッチ２４の破損を防止することができる。
【００１９】
尚、本発明は、本発明の精神を逸脱しない限り種々の改変を為すことができ、そして、本発明が該改変されたものに及ぶことは当然である。
【００２０】
【発明の効果】
本発明は上記一実施の形態に詳述したように、請求項１記載の発明は、マウスに於て、ケース側部に水平方向前後に揺動してスイッチング動作を行い、且つ、水平方向左右に摺動してスイッチング動作を行うスクロールスイッチを設けたので、該スクロールスイッチがマウスの上面に突出することがなく、マウスの外観形状に於て高さの制約がある場合に、高さを抑えた設計が可能になる。
【００２１】
又、請求項２記載の発明は、上記スクロールスイッチのスライダーは該スライダーに開穿された長孔に下ケース上に立設された立設部が挿入されて摺動自在に配設され、且つ、該立設部に固着したビスの頭部によって該スライダーの抜け止めがなされており、更に、スクロールバーは該スクロールバーに開穿された挿入孔に前記スライダー上に立設された立設部が挿入されて揺動自在に配設され、且つ、該立設部に固着したビスの頭部によって該スクロールバーの抜け止めがなされているため、請求項１記載の発明の効果に加え、前記ビスは安価であるためコストダウンが図れると共に、該ビスによって組み立て作業効率を高めることができる。
【００２２】
更に、請求項３記載の発明は、上記スクロールスイッチのスライダーは該スライダーに開穿された長孔に下ケース上に立設された立設部が挿入されて摺動自在に配設され、且つ、該立設部の上部に形成された拡縮自在のフックによって該スライダーの抜け止めがなされており、更に、スクロールバーは該スクロールバーに開穿された挿入孔に前記スライダー上に立設された立設部が挿入されて揺動自在に配設され、且つ、該立設部の上部に形成された拡縮自在のフックによって該スライダーの抜け止めがなされているので、請求項１記載の発明の効果に加え、前記フックが形成された立設部によって、組み立て効率は更に向上すると共に、部品点数及び組み立て工数も少なくすることができる。
【００２３】
更に又、請求項４記載の発明は、上記スライダーは右端部が左下方に向かって所定寸法斜欠された斜欠面を有し、一方、該スライダーによって操作される上記スイッチは上面に上下方向に摺動するキートップを備え、前記スライダーの水平方向の押し動作によって、該キートップが前記斜欠面に押圧され、所定寸法範囲内で上下動してスイッチング動作を行うように構成されているため、請求項１，２又は３記載の発明の効果に加え、スクロールスイッチのノブに過剰な押し圧がかかった時、マイクロスイッチに過剰な負荷が加わらないため、該マイクロスイッチの破損を防止することができる等、正に著大なる効果を奏する発明である。
【図面の簡単な説明】
【図１】（ａ）本発明の一実施の形態を示し、上ケースを取り外した状態のマウスの平面図。
（ｂ）前図に示すスクロールスイッチのＡ−Ａ線縦断面図。
【図２】図１（ｂ）に示すスクロールスイッチの分解縦断面図。
【図３】本発明の他の実施の形態を示し、フックを用いて組み立てたスクロールスイッチの分解縦断面図。
【図４】本発明の他の実施の形態を示し、スライダーの形状を変形したスクロールスイッチの縦断面図。
【符号の説明】
１　　　　　　　マウス
２　　　　　　　下ケース
９　　　　　　　スクロールスイッチ
１０　　　　　　　スライダー
１２　　　　　　　スクロールバー
１４　　　　　　　長孔
１６，１９　　　　ビス
２１ａ，２２ａ　　フック
２３　　　　　　　スライダー
２４ａ　　　　　　キートップ
Ｃ　　　　　　　斜欠面
【図１】
2004062345.tif 000003
【図２】
2004062345.tif 000004
【図３】
2004062345.tif 000005
【図４】
2004062345.tif 000006